(57)【要約】      （修正有）【課題】商品の陳列とパッケージを同時に行える販売用パッケージとプライベートコレクションケースを兼ねた販売用パッケージとプライベートコレクションケースを兼ねた展示具を提供する。【解決手段】商品５０を固定手段５１によって固定して載置する台座と、この台座を支持する側板および台座後方に立設した背板からなる陳列体１を、各々折線を介して一枚の台紙上に構成する。一方、透明の材質で構成し、上端の蓋部２１を開閉自在にしたケース２を構成し、このケース２内部に前記陳列体１を収納する。【選択図】図６
0003129864.tif 000002
【実用新案登録請求の範囲】
【請求項１】
商品を載置する台座と、この台座を支持する側板および台座後方に立設した背板からなる陳列体と、
前記陳列体を収納する、透明の材質からなり上端の蓋部が開閉自在なケースとからなる販売用パッケージとプライベートコレクションケースを兼ねた展示具。
【請求項２】
前記陳列体を構成する、台座、側板および背板を各々折線を介して一枚の台紙に連設したことを特徴とする請求項１記載の販売用パッケージとプライベートコレクションケースを兼ねた展示具。
【請求項３】
前記台座に、商品の固定手段を取り付けたことを特徴とする請求項１または請求項２記載の販売用パッケージとプライベートコレクションケースを兼ねた展示具。
【考案の詳細な説明】
【技術分野】
【０００１】
本考案は、リング等の宝飾品やアクセサリー等のパッケージであり、特に販売用パッケージとプライベートコレクションケースを兼ねた展示具に関するものである。
【背景技術】
【０００２】
従来、宝飾品等においては、商品を収容するパッケージと店頭での陳列台とをそれぞれ個別に用意していた。その理由としては、商品の販売促進面から、あるいは店の特色を発揮し宣伝効果を考慮する場合、または宝飾品の保護とその損傷を回避した保管等の点などが考えられる。
しかしながら、前記のようにパッケージと陳列台とを個別に用意した場合は、資材の有効利用の点と経済的な面から問題があり、さらに個別に保管することから、手間がかかると共に多大なスペースを要すること等の問題が生じている。
【０００３】
従って、前述の問題を解決する手段としては、パッケージと陳列台とを兼用することが最適な手段であり、その点から特許文献１に記載する宝飾箱を兼ねる陳列台が提案されていた。
【特許文献１】特開２００３−３２５２８６
【０００４】
前記特許文献１の宝飾箱を兼ねる陳列台は、側面と底面とで構成した箱本体と、この箱本体を開閉する側面及び天板面とで構成した可動蓋体と、前記箱本体とこの可動蓋体とを連繋する枢支部と、前記可動蓋体と前記箱本体とを係止する内面板と、前記底面に出入れ自在に設けた宝飾台とで構成されている。
【０００５】
使用に際しては、前記可動蓋体を動かして前記箱本体を開閉し、前記宝飾台をこの箱本体に収容可能として宝石を保管し、また宝飾台を可動蓋体の天板面に設けて陳列台として利用するのである。
そのため、宝飾品の収容、陳列等がワンタッチででき、収容・陳列時の双方での安定性、見栄え、商品価値の向上等が図れるのである。
【考案の開示】
【考案が解決しようとする課題】
【０００６】
しかし、前記陳列台は、陳列時には商品が露出しているためほこりやごみがつきやすく、盗難のおそれもある。また収納した状態では内部の商品が見えないため何が入っているか分からず、整理するとき等には可動蓋体を開かなくてはならず不便であった。
本考案は上記の点に鑑みなされたものであり、商品の陳列とパッケージを同時に行え、陳列時には内部の商品が見えると共にケースが商品を保護するためほこりやごみがつかず盗難の恐れもなく、さらには購入後自宅でプライベートなコレクションとして楽しめる、販売用パッケージとプライベートコレクションケースを兼ねた展示具を提供する。
【課題を解決するための手段】
【０００７】
本考案の要旨は、商品を載置する台座と、この台座を支持する側板および台座後方に立設した背板からなる陳列体と、前記陳列体を収納する、透明の材質からなり上端の蓋部が開閉自在なケースとからなる販売用パッケージとプライベートコレクションケースを兼ねた展示具である。
【０００８】
また本考案の要旨は、前記陳列体を構成する、台座、側板および背板を各々折線を介して一枚の台紙に連設したことにある。
【０００９】
また本考案の要旨は、前記台座に、商品の固定手段を取り付けたことにある。
【考案の効果】
【００１０】
本考案は上記の如き構成であるため、請求項１記載の考案によれば、商品の陳列とパッケージを同時に行えるためパッケージと陳列台とを個別に用意する必要もなく経済的であり、保管にも手間がかからずスペースも最小ですむ。
また陳列時には内部の商品が見えると共にケースが外部のごみ等から商品を保護し商品の損傷を防ぎ、また盗難の恐れもない。またこの陳列状態で商品のパッケージの役目を果たす。
さらには商品を購入後、そのままの状態で自宅に飾ることでプライベートコレクションとして楽しめるのである。
【００１１】
請求項２記載の考案によれば、台座、側板および背板を一枚の台紙で製作したため、製作及び組み立てが容易であり、かつ丈夫に製作することができる
【００１２】
また、請求項３記載の考案によれば、台座に商品の固定手段を取り付けたため、商品が台座に安定して載置され陳列中に商品の位置がずれることがない。また移動、運搬時には商品の位置がずれないため、商品とケースの衝突を防ぐと共に、移動後の陳列時、または自宅の部屋に飾るときにも再度商品の位置を直す手間が省ける。
【考案を実施するための最良の形態】
【００１３】
本考案を実施するための最良の形態は、商品を固定手段によって固定して載置する台座と、この台座を支持する側板および台座後方に立設した背板からなる陳列体を、一枚の台紙上に構成する。
一方、透明の材質を用いて上端の蓋部を開閉自在にしケースを構成し、このケース内部に前記陳列体を収納したものである。
【００１４】
以下、本考案の一実施形態を図に基づいて説明する。
図１は本考案の一実施形態の展開図、図２は陳列体の組立中の斜視図、図３は陳列体の組立後の背面斜視図、図４は製作過程の説明図、図５は台座の裏面図及び図６は組立完成図である。
【００１５】
本実施形態は、陳列体１とケース２からなる。
陳列体１は、図１に示すように略長方形の台紙３を折線に従って折り畳んで組み立てたものである。この台紙３は厚紙を用いるが、その他にプラスチック等の薄い板材を使用できる。
この構成を説明すると、図１において台紙３の下方に位置する正方形の台座１１の下端に折線ａを介して側板１０を連設し、台座１１の両端には折線ｂ，ｂを介して側板１２，１２を連設する。さらに、台座１１の上端には折線ｃを介して側板１３を連設している。
さらに前記側板１０の両端には折線ｄ，ｄを介して舌片１０１，１０１を設け、折線ｅ，ｅを介して舌片１３１，１３１を設けている。
【００１６】
前記側板１３の上端には、折線ｆを介して背板１４を連設する。そして、この背板１４の上方には背板１５、１６、１７を夫々折線ｇ、ｈ、ｍを介して順次連設している。
【００１７】
一方、前記ケース２は、立方体であり、ケース２を構成する６面とも透明の材質からなり、上端の蓋部２１が開閉自在な構造となっている。そして、前記陳列体１を密着して収納できる大きさである。
【００１８】
前記のように構成した陳列体１の組立方法を、図１、図２に基づいて説明する。
まず、前記正方形の台座１１の側板１０、１２，１２、１３を夫々の折線ａ、ｂ，ｂ、ｃに沿って山折りにする。その後、側板１３端部の折線ｆを谷折りに折返して、背板１４、１５、１６、１７を起立させる。そして、背板１６を折線ｈに沿って山折りにして、前記背板１５の裏面に密着させる。
その後、側板１３の舌片１３１，１３１を折線ｅ，ｅに沿って山折りにして、背板１３の表面から押さえて背板１４、１５、１６、１７を側板１３側に密着させる。
【００１９】
台座１１上に載置された商品であるリング５０は、固定手段としての針金５１を用いて台座１１上に固定されている。
その固定方法は、二つ折りにした針金５１を、リング５０の上から挟んで固定して、その先端を台座１１の表面に設けた穴を通して裏側に引き出す。その後、この針金５１を１８０度広げて台座１１の裏面に密着させて必要に応じテープ等で固定する。
【００２０】
この固定手段を用いれば、リング、ブローチ等の小さな商品は勿論のこと、ブレスレット等のある程度大きな商品でも、確実に固定することができるため位置のずれを防ぐことができる。また、商品をパッケージする際も簡単な作業で確実に目的を達成できるため、作業者の経験の有無に左右されず高い作業効果が期待できる。そして、流通過程の商品移動時における各種の衝撃にも強い固定力を発揮するため、輸送が安全に行える。さらには購入後自宅に飾るときにも安定して飾ることができる。
【００２１】
さらにリング５０などの比較的小さな商品は、針金５１の一箇所の固定で十分であるが、商品が大きくあるいは重くなる場合には台座１１自体も大きくすると共に、当該商品も複数個所を固定する必要も出てくる。なお、前記固定手段は、針金５１に限らず他の手段、例えば接着剤等も使用できる。
【００２２】
このように組み立てた陳列体１をケース２の内部に収納する。この場合、図４に示すように、ケース２の上部の蓋部２１を開きケース２の上方から挿入する。これによって陳列体１の下部はケース２内に密着して収納される。その後蓋部２１を閉じて収納する（図６参照）。
なお、前記蓋部２１の先端部には、蓋部２１を確実に止めるために固定片２２を構成してある。
【００２３】
前記の本実施形態によれば、リング５０が台座１１上に安定して固定されてパッケージされ、この状態が透明のケース２を通して外部から視認できるためそのまま陳列台として利用でき、パッケージとしても陳列台としても優れた性能を発揮できる。さらには購入後自宅でのプライベートコレクションとして、そのままの状態で飾ることができる。
また、収納状態でケース２から突出している背板は、不要な場合には切断すればさらにコンパクトな形状となり収納や運搬に便利となる。
【図面の簡単な説明】
【００２４】
【図１】本考案の一実施形態の展開図
【図２】本考案の一実施形態の陳列体の組立中の斜視図
【図３】本考案の一実施形態の陳列体の組立後の背面斜視図
【図４】本考案の一実施形態の製作過程の説明図
【図５】本考案の一実施形態の台座の裏面図
【図６】本考案の一実施形態の組立完成図
【符号の説明】
【００２５】
１  陳列体
２  ケース
３  台紙
１０  側板
１１  台座
１２  側板
１３  側板
１４  背板
１５  背板
１６  背板
１７  背板
２１  蓋部
２２  固定片
５０  リング（商品）
５１  針金（固定手段）
１０１  舌片
１３１  舌片
ａ  折線
ｂ  折線
ｃ  折線
ｄ  折線
ｅ  折線
ｆ  折線
ｇ  折線
ｈ  折線
ｍ  折線
【図１】
0003129864.tif 000003
【図２】
0003129864.tif 000004
【図３】
0003129864.tif 000005
【図４】
0003129864.tif 000006
【図５】
0003129864.tif 000007
【図６】
0003129864.tif 000008